【手続補正書】
【提出日】平成20年8月13日(2008.8.13)
【手続補正１】
【補正対象書類名】明細書
【補正対象項目名】特許請求の範囲
【補正方法】変更
【補正の内容】
【特許請求の範囲】
【請求項１】
被検体にＸ線を照射するＸ線源と、このＸ線源と対向配置され前記被検体の透過Ｘ線量を投影データとして検出するＸ線検出器とを備えたＸ線ＣＴ装置において、前記被検体の画像を取得する毎に、予め前記被検体のいない状態で前記投影データの応答データを基礎データとして取得する基礎データ取得手段と、前記取得された基礎データのうちの残光成分を複数の時定数とそれらの成分比に分析する解析手段と、前記分析された時定数と成分比を記憶する記憶手段と、前記被検体の撮影時には前記記憶された時定数と成分比に基づき前記投影データの残光成分を抽出し、前記抽出された前記投影データの残光成分を前記投影データから除去して補正投影データを生成する補正手段と、前記生成された補正投影データを用いて画像再構成する再構成手段と、前記再構成された画像を表示する表示手段とを備えたことを特徴とするＸ線ＣＴ装置。
【請求項２】
請求項１に記載のＸ線ＣＴ装置において、前記記憶手段は、前回求めた補正投影データの時定数とそれらの成分比を記憶し、新たな補正投影データを逐次求める際に利用することを特徴とするＸ線ＣＴ装置。
【請求項３】
被検体にＸ線を照射するＸ線源と、このＸ線源と対向配置され前記被検体の透過Ｘ線量を投影データとして検出するＸ線検出器とを備えたＸ線ＣＴ装置において、前記被検体がいない状態で、連続してＸ線を前記Ｘ線検出器に照射した後に照射を停止したときのステップ応答の前記投影データを実測値として取得する実測値取得手段と、前記取得された実測値のステップ応答をインパルス応答に分析し、前記分析されたインパルス応答を重畳積分して前記ステップ応答の計算値を再現し、前記実測値と前記計算値との誤差を設定値以下にする複数の時定数とそれらの成分比を漸近的、かつ再帰的に計算する解析手段と、前記計算された時定数と成分比を記憶する記憶手段と、前記被検体の撮影時には前記記憶された前記投影データの残光成分を前記投影データから除去して補正投影データを生成する補正手段と、前記生成された補正投影データを用いて画像再構成する再構成手段と、前記再構成された画像を表示する表示手段とを備えたことを特徴とするＸ線ＣＴ装置。
【請求項４】
被検体にＸ線を照射するＸ線源と、このＸ線源と対向配置され前記被検体の透過Ｘ線量を投影データとして検出するＸ線検出器とを備えたＸ線ＣＴ装置において、予め前記被検体のいない状態で前記投影データの応答データを基礎データとして取得する基礎データ取得手段と、前記取得された基礎データのうちの残光成分を複数の時定数とそれらの成分比に遺伝的アルゴリズムを用いて分析する解析手段と、前記分析された時定数と成分比を記憶する記憶手段と、前記被検体の撮影時には前記記憶された時定数と成分比に基づき前記投影データの残光成分を抽出し、前記抽出された前記投影データの残光成分を前記投影データから除去して補正投影データを生成する補正手段と、前記生成された補正投影データを用いて画像再構成する再構成手段と、前記再構成された画像を表示する表示手段とを備えたことを特徴とするＸ線ＣＴ装置。
【請求項５】
請求項４に記載のＸ線ＣＴ装置において、前記解析手段は、前記複数の時定数の成分比を遺伝子配列とし、計算結果のインパルス応答に基づいて再現したステップ応答と、前記基礎データとして取得した前記ステップ応答の誤差を評価関数とし、前記遺伝的アルゴリズムの世代交替ループによって、前記評価関数が向上する前記遺伝子配列を漸近的、かつ再帰的に計算し、前記複数の時定数とそれらの成分比を求めることを特徴とするＸ線ＣＴ装置。
【請求項６】
請求項１に記載のＸ線ＣＴ装置において、前記Ｘ線検出器は、複数のチャンネルに対応するＸ線検出部を含むモジュールを複数有してなり、前記モジュールを代表する一部のチャンネルについて前記複数の時定数の成分比を求めることを特徴とするＸ線ＣＴ装置。
【請求項７】
請求項１に記載のＸ線ＣＴ装置において、前記Ｘ線検出器の複数のチャンネルのそれぞれについて前記複数の時定数とそれらの成分比を求めることを特徴とするＸ線ＣＴ装置。
【請求項８】
被検体にＸ線を照射するＸ線源と、このＸ線源と対向配置され前記被検体の透過Ｘ線量を投影データとして検出するＸ線検出器とを備えたＸ線ＣＴ装置の残光補正方法において、前記被検体の画像を取得する毎に、予め前記被検体のいない状態で前記投影データの応答データを基礎データとして取得する基礎データ取得ステップと、前記取得された基礎データのうちの残光成分を複数の時定数とそれらの成分比に分析する解析ステップと、前記分析された時定数と成分比を記憶する記憶ステップと、前記被検体の撮影時には前記記憶された時定数と成分比に基づき前記投影データの残光成分を抽出し、前記抽出された前記投影データの残光成分を前記投影データから除去して補正投影データを生成する補正ステップと、前記生成された補正投影データを用いて画像再構成する再構成ステップと、前記再構成された画像を表示する表示ステップとを備えたことを特徴とするＸ線ＣＴ装置の残光補正方法。
【請求項９】
請求項８に記載のＸ線ＣＴ装置の残光補正方法において、前記記憶ステップは、前回求めた補正投影データの時定数とそれらの成分比を記憶し、新たな補正投影データを逐次求める際に利用することを特徴とするＸ線ＣＴ装置の残光補正方法。
【請求項１０】
被検体にＸ線を照射するＸ線源と、このＸ線源と対向配置され前記被検体の透過Ｘ線量を投影データとして検出するＸ線検出器とを備えたＸ線ＣＴ装置の残光補正方法において、前記被検体がいない状態で、連続してＸ線を前記Ｘ線検出器に照射した後に照射を停止したときのステップ応答の前記投影データを実測値として取得する実測値取得ステップと、前記取得された実測値のステップ応答をインパルス応答に分析し、前記分析されたインパルス応答を重畳積分して前記ステップ応答の計算値を再現し、前記実測値と前記計算値との誤差を設定値以下にする複数の時定数とそれらの成分比を漸近的、かつ再帰的に計算する解析ステップと、前記計算された時定数と成分比を記憶する記憶ステップと、前記被検体の撮影時には前記記憶された時定数と成分比に基づき前記投影データの残光成分を前記投影データから除去して補正投影データを生成する補正ステップと、前記生成された補正投影データを用いて画像再構成する再構成ステップと、前記再構成された画像を表示する表示ステップとを備えたことを特徴とするＸ線ＣＴ装置の残光補正方法。
【請求項１１】
被検体にＸ線を照射するＸ線源と、このＸ線源と対向配置され前記被検体の透過Ｘ線量を投影データとして検出するＸ線検出器とを備えたＸ線ＣＴ装置の残光補正方法において、予め前記被検体のいない状態で前記投影データの応答データを基礎データとして取得する基礎データ取得ステップと、前記取得された基礎データのうちの残光成分を複数の時定数とそれらの成分比に遺伝的アルゴリズムを用いて分析する解析ステップと、前記分析された時定数と成分比を記憶する記憶ステップと、前記被検体の撮影時には前記記憶された時定数と成分比に基づき前記投影データの残光成分を抽出し、前記抽出された前記投影データの残光成分を前記投影データから除去して補正投影データを生成する補正ステップと、前記生成された補正投影データを用いて画像再構成する再構成ステップと、前記再構成された画像を表示する表示ステップとを備えたことを特徴とするＸ線ＣＴ装置の残光補正方法。
【請求項１２】
請求項１１に記載のＸ線ＣＴ装置の残光補正方法において、前記解析ステップは、前記複数の時定数の成分比を遺伝子配列とし、計算結果のインパルス応答に基づいて再現したステップ応答と、前記基礎データとして取得した前記ステップ応答の誤差を評価関数とし、前記遺伝的アルゴリズムの世代交替ループによって、前記評価関数が向上する前記遺伝子配列を漸近的、かつ再帰的に計算し、前記複数の時定数とそれらの成分比を求めることを特徴とするＸ線ＣＴ装置の残光補正方法。
【請求項１３】
被検体にＸ線を照射するＸ線源と、このＸ線源と対向配置され前記被検体の透過Ｘ線量を投影データとして検出するＸ線検出器とを備えたＸ線ＣＴ装置の残光補正プログラムにおいて、前記被検体の画像を取得する毎に、予め前記被検体のいない状態で前記投影データの応答データを基礎データとして取得する基礎データ取得ステップと、前記取得された基礎データのうちの残光成分を複数の時定数とそれらの成分比に分析する解析ステップと、前記分析された時定数と成分比を記憶する記憶ステップと、前記被検体の撮影時には前記記憶された時定数と成分比に基づき前記投影データの残光成分を抽出し、前記抽出された前記投影データの残光成分を前記投影データから除去して補正投影データを生成する補正ステップと、前記生成された補正投影データを用いて画像再構成する再構成ステップと、前記再構成された画像を表示する表示ステップとを備えたことを特徴とするＸ線ＣＴ装置の残光補正プログラム。
【請求項１４】
請求項１３に記載のＸ線ＣＴ装置の残光補正プログラムにおいて、前記記憶ステップは、前回求めた補正投影データの時定数とそれらの成分比を記憶し、新たな補正投影データを求める際に利用することを特徴とするＸ線ＣＴ装置の残光補正プログラム。
【請求項１５】
被検体にＸ線を照射するＸ線源と、このＸ線源と対向配置され前記被検体の透過Ｘ線量を投影データとして検出するＸ線検出器とを備えたＸ線ＣＴ装置の残光補正プログラムにおいて、前記被検体がいない状態で連続してＸ線を前記Ｘ線源に照射した後に照射を停止したときのステップ応答の前記投影データを実測値として取得する実測値取得ステップと、前記取得された実測値のステップ応答をインパルス応答に分析し、前記分析されたインパルス応答を重畳積分して前記ステップ応答の計算値を再現し、前記実測値と前記計算値との誤差を設定値以下にする複数の時定数とそれらの成分比を漸近的、かつ再帰的に計算する解析ステップと、前記計算された時定数と成分比を記憶する記憶ステップと、前記被検体の撮影時には前記記憶された時定数と成分比に基づき前記投影データの残光成分を抽出し、前記抽出された前記投影データの残光成分を前記投影データから除去して補正投影データを生成する補正ステップと、前記生成された補正投影データを用いて画像再構成する再構成ステップと、前記再構成された画像を表示する表示ステップとを備えたことを特徴とするＸ線ＣＴ装置の残光補正プログラム。
【請求項１６】
被検体にＸ線を照射するＸ線源と、このＸ線源と対向配置され前記被検体の透過Ｘ線量を投影データとして検出するＸ線検出器とを備えたＸ線検出装置の残光補正プログラムにおいて、予め前記被検体のいない状態で前記投影データの応答データを基礎データとして取得する基礎データ取得ステップと、前記取得された基礎データのうちの残光成分を複数の時定数とそれらの成分比に遺伝的アルゴリズムを用いて分析する解析ステップと、前記分析された時定数と成分比を記憶する記憶ステップと、前記被検体の撮影時には前記記憶された時定数と成分比に基づき前記投影データの残光成分を抽出し、前記抽出された前記投影データの残光成分を前記投影データから除去して補正投影データを生成する補正ステップと、前記生成された補正投影データを用いて画像再構成する再構成ステップと、前記再構成された画像を表示する表示ステップとを備えたことを特徴とするＸ線ＣＴ装置の残光補正プログラム。
【請求項１７】
請求項１６に記載のＸ線ＣＴ装置の残光補正プログラムにおいて、前記解析ステップは、前記複数の時定数の成分比を遺伝子配列とし、計算結果のインパルス応答に基づいて再現したステップ応答と、前記基礎データとして取得した前記ステップ応答との誤差を評価関数とし、前記遺伝的アルゴリズムの世代交替ループによって、前記評価関数が向上する前記遺伝子配列を漸近的、かつ再帰的に計算し、前記複数の時定数とそれらの成分比を求めることを特徴とするＸ線ＣＴ装置の残光補正プログラム。
【手続補正２】
【補正対象書類名】明細書
【補正対象項目名】０００５
【補正方法】変更
【補正の内容】
【０００５】
【課題を解決するための手段】
本発明のＸ線ＣＴ装置は、被検体にＸ線を照射するＸ線源と、このＸ線源と対向配置され前記被検体の透過Ｘ線量を投影データとして検出するＸ線検出器とを備えたＸ線ＣＴ装置において、前記被検体の画像を取得する毎に、予め前記被検体のいない状態で前記投影データの応答データを基礎データとして取得する基礎データ取得手段と、前記取得された基礎データのうちの残光成分を複数の時定数とそれらの成分比に分析する解析手段と、前記分析された時定数と成分比を記憶する記憶手段と、前記被検体の撮影時には前記記憶された時定数と成分比に基づき前記投影データの残光成分を抽出し、前記抽出された前記投影データの残光成分を前記投影データから除去して補正投影データを生成する補正手段と、前記生成された補正投影データを用いて画像再構成する再構成手段と、前記再構成された画像を表示する表示手段とを備えたことを特徴とする。
【手続補正３】
【補正対象書類名】明細書
【補正対象項目名】０００６
【補正方法】変更
【補正の内容】
【０００６】
また本発明のＸ線ＣＴ装置の残光補正方法は、被検体にＸ線を照射するＸ線源と、このＸ線源と対向配置され前記被検体の透過Ｘ線量を投影データとして検出するＸ線検出器とを備えたＸ線ＣＴ装置の残光補正方法において、前記被検体の画像を取得する毎に、予め前記被検体のいない状態で前記投影データの応答データを基礎データとして取得する基礎データ取得ステップと、前記取得された基礎データのうちの残光成分を複数の時定数とそれらの成分比に分析する解析ステップと、前記分析された時定数と成分比を記憶する記憶ステップと、前記被検体の撮影時には前記記憶された時定数と成分比に基づき前記投影データの残光成分を抽出し、前記抽出された前記投影データの残光成分を前記投影データから除去して補正投影データを生成する補正ステップと、前記生成された補正投影データを用いて画像再構成する再構成ステップと、前記再構成された画像を表示する表示ステップとを備えたことを特徴とする。
【手続補正４】
【補正対象書類名】明細書
【補正対象項目名】０００７
【補正方法】変更
【補正の内容】
【０００７】
また本発明のＸ線ＣＴ装置の残光補正プログラムは、被検体にＸ線を照射するＸ線源と、このＸ線源と対向配置され前記被検体の透過Ｘ線量を投影データとして検出するＸ線検出器とを備えたＸ線ＣＴ装置の残光補正プログラムにおいて、前記被検体の画像を取得する毎に、予め前記被検体のいない状態で前記投影データの応答データを基礎データとして取得する基礎データ取得ステップと、前記取得された基礎データのうちの残光成分を複数の時定数とそれらの成分比に分析する解析ステップと、前記分析された時定数と成分比を記憶する記憶ステップと、前記被検体の撮影時には前記記憶された時定数と成分比に基づき前記投影データの残光成分を抽出し、前記抽出された前記投影データの残光成分を前記投影データから除去して補正投影データを生成する補正ステップと、前記生成された補正投影データを用いて画像再構成する再構成ステップと、前記再構成された画像を表示する表示ステップとを備えたことを特徴とする。
【手続補正５】
【補正対象書類名】明細書
【補正対象項目名】０００８
【補正方法】削除
【補正の内容】